(57)【要約】【課題】通常時には画像の撮影と送信とを通常操作で行うことができ、緊急時には画像の撮影と画像の送信とを一連の動作で迅速に行うことができる携帯電話の提供、及び緊急時に携帯電話で撮影した画像を携帯電話以外の他の保存先で容易且つ確実に保存可能な画像登録システムの提供を課題とする。【解決手段】画像撮影手段と、送信手段と、制御手段と、起動信号生成手段を少なくとも備える携帯電話であって、起動信号生成手段は、画像撮影手段と送信手段とを通常起動させる１乃至複数の通常時用起動スイッチと、画像撮影手段と送信手段とを緊急起動させる緊急時用起動スイッチとを少なくとも備え、制御手段は、画像撮影手段と送信手段とを通常通り起動させる通常時用起動ソフトウェアと、画像撮影手段で画像を撮影すると共に送信手段でその画像を登録してある特定の送信先へ送信する緊急時用起動ソフトウェアとを備える。【選択図】      図１
2017167584.tif 000002
【特許請求の範囲】
【請求項１】
静止画像や動画像等の画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を受信すると前記撮影手段を起動させて画像を撮影すると共に撮影した画像を前記送信手段へ送信し、且つ前記送信手段を起動させて送信されてきた画像を登録してある特定の送信先へ送信する緊急時用起動ソフトウェアとを備えることを特徴とする携帯電話。
【請求項２】
緊急時用起動スイッチを、携帯電話の筐体の外面に備えることを特徴とする請求項１に記載の携帯電話。
【請求項３】
緊急時用起動スイッチは、筐体の外面を所定値以上の圧力で握った場合にＯＮ状態となる圧力スイッチで構成されることを特徴とする請求項２に記載の携帯電話。
【請求項４】
緊急時用起動スイッチは、複数個の押しボタンスイッチで構成されると共に、少なくとも２個以上の前記押しボタンスイッチを押圧した場合に制御部に対して起動信号が送信されることを特徴とする請求項２に記載の携帯電話。
【請求項５】
請求項１〜４の何れか１項に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することを特徴とする画像登録システム。
【発明の詳細な説明】
【技術分野】
【０００１】
本発明は、携帯電話及び携帯電話を利用した画像登録システムに関する。
【背景技術】
【０００２】
従来、静止画像や動画像等の画像を撮影するための画像撮影手段（いわゆるカメラ機能）を備えた携帯電話が種々開発されている。このような画像撮影手段を備える携帯電話を示す従来技術として、下記特許文献１がある。
【先行技術文献】
【特許文献】
【０００３】
【特許文献１】特開２００３−１６９２８７号公報
【発明の概要】
【発明が解決しようとする課題】
【０００４】
上記特許文献１は、撮影画像の記録方法に関する発明で、携帯端末に内蔵された画像撮影手段を用いて撮影した画像と撮影位置情報とを、正確に且つ低コストで記録することができるというメリットがある。
しかし、このような従来の画像撮影手段を備える携帯電話においては、画像を撮影する際、画像撮影手段を起動するための起動操作と、画像を撮影するための撮影操作とで、別々の操作が必要となっていた。よって画像を撮影するまでに複数回の操作が必要であると共に、その操作にはある程度の時間が必要となることから、瞬時に画像を撮影する必要がある場合等の緊急時においては、画像を撮影するタイミングを逸するという問題があった。
また従来の画像撮影手段を備える携帯電話においては、撮影後の画像を携帯電話の記憶部に記憶させる構成であるものが一般的であった。そして撮影後の画像を第三者の携帯電話等に送信する場合は、記憶部を立ち上げた後、記憶部にある画像を選択して送信する必要があるものが一般的であった。つまり、撮影後の画像を第三者の携帯電話等に送信する場合には複数回の操作が必要となることから、撮影後の画像を即座に送信したい緊急時において、画像を迅速に送信することができないという問題があった。
更に従来の画像撮影手段を備える携帯電話においては、撮影後の画像を携帯電話の記憶部に記憶させるだけの構成であるものが一般的であったことから、例えば携帯電話の記憶部を破損した場合や、携帯電話を紛失した場合には、撮影した画像を再確認することができないという問題があった。
【０００５】
そこで本発明は上記従来における問題点を解決し、通常時には、画像の撮影と撮影した画像の送信とを通常の操作で行うことができることに加えて、緊急時には、画像の撮影と特定の送信先に対する撮影した画像の送信とを一連の動作で迅速に行うことができる携帯電話の提供を課題とする。また緊急時において、携帯電話で撮影した画像を携帯電話以外の他の保存先で容易且つ確実に保存可能な画像登録システムの提供を課題とする。
【課題を解決するための手段】
【０００６】
上記課題を達成するため、本発明の携帯電話は、静止画像や動画像等の画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を受信すると前記撮影手段を起動させて画像を撮影すると共に撮影した画像を前記送信手段へ送信し、且つ前記送信手段を起動させて送信されてきた画像を登録してある特定の送信先へ送信する緊急時用起動ソフトウェアとを備えることを第１の特徴としている。
また本発明の携帯電話は、上記第１の特徴に加えて、緊急時用起動スイッチを、携帯電話の筐体の外面に備えることを第２の特徴としている。
また本発明の携帯電話は、上記第２の特徴に加えて、緊急時用起動スイッチは、筐体の外面を所定値以上の圧力で握った場合にＯＮ状態となる圧力スイッチで構成されることを第３の特徴としている。
また本発明の携帯電話は、上記第２の特徴に加えて、緊急時用起動スイッチは、複数個の押しボタンスイッチで構成されると共に、少なくとも２個以上の前記押しボタンスイッチを押圧した場合に制御部に対して起動信号が送信されることを第４の特徴としている。
また本発明の画像登録システムは、請求項１〜４の何れか１項に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することを第５の特徴としている。
【発明の効果】
【０００７】
上記第１の特徴による携帯電話によれば、静止画像や動画像等の画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を受信すると前記撮影手段を起動させて画像を撮影すると共に撮影した画像を前記送信手段へ送信し、且つ前記送信手段を起動させて送信されてきた画像を登録してある特定の送信先へ送信する緊急時用起動ソフトウェアとを備えることから、通常時用起動スイッチと緊急時用起動スイッチとを備える構成とすることで、通常時には画像の撮影と画像の送信とを通常の操作で行うことができることに加えて、緊急時には画像の撮影と特定の送信先に対する撮影した画像の送信とを一連の動作で迅速に行うことが可能な携帯電話を実現することができる。
【０００８】
また上記第２の特徴による携帯電話によれば、上記第１の特徴による作用効果に加えて、緊急時用起動スイッチを、携帯電話の筐体の外面に備えることから、緊急時用起動スイッチを容易且つ迅速にＯＮ状態にすることが可能な携帯電話とすることができる。
【０００９】
また上記第３の特徴による携帯電話によれば、上記第２の特徴による作用効果に加えて、緊急時用起動スイッチは、筐体の外面を所定値以上の圧力で握った場合にＯＮ状態となる圧力スイッチで構成されることから、緊急時用起動スイッチを一段と容易且つ迅速にＯＮ状態にすることが可能な携帯電話とすることができる。
【００１０】
また上記第４の特徴による画像登録システムによれば、上記第２の特徴による作用効果に加えて、緊急時用起動スイッチは、複数個の押しボタンスイッチで構成されると共に、少なくとも２個以上の前記押しボタンスイッチを押圧した場合に制御部に対して起動信号が送信されることから、緊急時用起動スイッチを一段と容易且つ迅速にＯＮ状態にすることができることに加えて、緊急時用起動スイッチの誤作動を効果的に防止することができる。
【００１１】
また上記第５の特徴による画像登録システムによれば、請求項１〜４の何れか１項に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することから、緊急時において、携帯電話で撮影した画像を、携帯電話以外の他の保存先で容易且つ確実に保存可能なシステムを実現することができる。
【図面の簡単な説明】
【００１２】
【図１】本発明の実施形態に係る携帯電話を説明する図で、（ａ）は携帯電話の内部構成を示す機能ブロック図、（ｂ）は携帯電話の斜視図、（ｃ）は携帯電話の正面図である。
【図２】本発明の実施形態に係る携帯電話の画像撮影部の内部構成を示す機能ブロック図である。
【図３】本発明の実施携帯に係る携帯電話において、緊急時用起動スイッチを用いて画像を撮影する場合の動作の流れを示すフローチャートである。
【図４】本発明の実施形態に係る画像登録システムのシステム構成を示す図である。
【図５】本発明の実施形態に係る画像登録システムを構成するサーバと関係機関端末との機能ブロック図で、（ａ）はサーバの構成を示す図、（ｂ）はサーバの記憶部の構成を示す図、（ｃ）は関係機関端末の構成を示す図である。
【図６】本発明の実施形態に係る携帯電話の変形例を示す図である。
【発明を実施するための形態】
【００１３】
以下、各図面を参照して、本発明の実施形態に係る携帯電話及び携帯電話を利用した画像登録システムを説明し、本発明の理解に供する。しかし、以下の説明は特許請求の範囲に記載の本発明を限定するものではない。
【００１４】
まず図１〜図３を参照して、本発明の実施形態に係る携帯電話１０を説明する。
【００１５】
図１を参照して、本発明の実施形態に係る携帯電話１０は、いわゆるスマートフォンである。
この携帯電話１０は、図１（ａ）に示すように、制御部１１と、記憶部１２と、通信部１３と、表示部１４と、操作部１５と、画像撮影部１６と、起動信号生成部１７とで構成される。
【００１６】
前記制御部１１は、ＣＰＵ（Ｃｅｎｔｒａｌ  Ｐｒｏｃｅｓｓｉｎｇ  Ｕｎｉｔ）からなり、携帯電話１０の制御や各種処理を行わせるためのプログラムやソフトウェアを保有すると共に、携帯電話１０の制御や各種処理を実行させるためのものである。
本実施形態における携帯電話１０においては、特に通常時に画像撮影部１６と通信部１３とを通常通り起動させる通常時用起動ソフトウェアと、緊急時に画像撮影部１６を起動させて画像を撮影すると共に、撮影した画像を通信部１３へ送信し、且つ通信部１３を起動させて送信されてきた画像を登録してある特定の送信先へ送信する緊急時用起動ソフトウェアとの二つのソフトウェアを、制御部１１に備える構成としてある。
勿論、携帯電話１０は上記プログラムやソフトウェアに限らず、通常の携帯電話が備えるプログラムやソフトウェアも備えるものである。
なお、この制御部１１は本発明の制御手段を構成するものである。
【００１７】
前記記憶部１２は、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）を含み、携帯電話１０に付与されている固有の識別番号データ等の各種データや撮影した画像等を記憶するためのものである。
【００１８】
前記通信部１３は、電気通信回線を介してサーバ等、他の電気通信機器との間で各種データの送受信や各種処理コマンドの送信を行う機能やセキュリティ機能を携帯電話１０に付与するためのものである。
なお、この通信部１３は本発明の送信手段を構成するものである。
【００１９】
前記表示部１４は、主として、携帯電話１０で入出力を行う各種データや、他の電子通信機器との間で送受信する各種データを表示するためのもので、ＬＣＤ（Ｌｉｑｕｉｄ  Ｃｒｙｓｔａｌ  Ｄｉｓｐｌａｙ）等からなる、図１（ｂ）に示すディスプレイ１４ａと、これを駆動するためのディスプレイ駆動回路を備える。このディスプレイ駆動回路は、携帯電話１０が受信した信号データに基づいてディスプレイ１４ａを駆動する。これによってディスプレイ１４ａに画像データや文字データ等の各種情報が表示される。
なお、表示されるデータは、画像データ、文字データ、音声データ、動画データ等、如何なる形式のデータであってもよい。
【００２０】
前記操作部１５は、携帯電話１０の各種操作や各種指示を行うためのもので、例えばタッチパネルや操作ボタン等で形成される。
本実施形態に係る携帯電話１０おいては、図１（ｂ）、（ｃ）に示すように、ディスプレイ１４ａを兼ねたタッチパネル１５ａと、操作ボタン（図示しないタッチパネル１５ａ上のアイコン等）とを備え、これらタッチパネル１５ａと操作ボタンとを用いてテキストデータの入力や各種操作と各種指示とが行われる。
【００２１】
前記画像撮影部１６は、静止画像や動画像等の画像を撮影するためのもので、本発明の画像撮影手段を構成するものである。
この画像撮影部１６は、図２に示すように、光を入力させるレンズ１６ａと、光を電気信号に変換するＣＣＤ（受光素子）１６ｂと、アナログ信号をデジタル信号に変換するＡ／Ｄ変換部１６ｃと、デジタル信号から画像データを作成する画像処理部１６ｄと、符号化により画像データを圧縮する画像圧縮部１６ｅと、圧縮された画像データを一次的に格納する送信部１６ｆとで構成される。
なお、このような構成からなる画像撮影部１６による動作は、後述する通常時用画像撮影部起動スイッチ１７ａや緊急時用起動スイッチ１７ｃによって開始される。
【００２２】
具体的には、通常時用画像撮影部起動スイッチ１７ａや緊急時起動スイッチ１７ｃが押圧されると起動信号生成部１７で生成された起動信号が制御部１１に送られ、制御部１１が起動ソフトウェアを起動させることで、レンズ１６ａから光が入力される。そして入力された光は、ＣＣＤ１６ｂにおいて電気信号に変換され、ＣＣＤ１６ｂからの出力はＡ／Ｄ変換部１６ｃでデジタル信号に変換される。次に画像処理部１６ｄにおいて、補正等の所定の画像処理が施されて画像データが作成される。前記作成された画像データは、画像圧縮部１６ｅにより圧縮されて送信部１６ｆに格納される。
そして送信部１６ｆに格納された画像データは、制御部１１の指示に基づいて、記憶部１２に記憶されたり、通信部１３を介して特定の送信先へ送信されたりされる。また圧縮された画像データは、携帯電話１０や特定の送信先に備える伸長部（図示しない）によって画像データが復号化されて閲覧可能とされる。
【００２３】
前記起動信号生成部１７は、制御部１１に対して、画像撮影部１６や通信部１３を起動させるための信号を生成するためのものである。
本実施形態においては、前記起動信号生成部１７と、通常時に画像撮影部１６と通信部１３とを通常起動させる通常時用撮影画像起動スイッチ１７ａ、通常時用通信部起動スイッチ１７ｂと、緊急時に画像撮影部１６と通信部１３とを緊急起動させる緊急時用起動スイッチ１７ｃとから起動信号生成手段が構成される。
なお、ここで「通常時」とは画像の撮影や画像の送信に緊急性を要しないときを意味するもので、「緊急時」とは画像の撮影や画像の送信に緊急性を要するときを意味するものである。
【００２４】
図１（ｂ）、（ｃ）に示すように、通常時用画像撮影部起動スイッチ１７ａと通常時用通信部起動スイッチ１７ｂとは、押しボタンスイッチで構成してある。また緊急時用起動スイッチ１７ｃは、携帯電話１０の筐体Ｋの外面を所定値以上の圧力で握った場合にＯＮ状態となる圧力スイッチで構成してある。更に圧力スイッチとして、歪みスイッチを用いる構成とすると共に、筐体Ｋの一対の側面Ｋ１に緊急時用起動スイッチ１７ｃをそれぞれ一つ設ける構成としてある。
加えて、一対の緊急時用起動スイッチ１７ｃは、一対の緊急時用起動スイッチ１７ｃのどちらもが所定値以上の圧力で握られた場合に限ってＯＮ状態となる構成としてある。勿論、このような構成に限るものではなく、何れか一方の緊急時用起動スイッチ１７ｃが所定値以上の圧力で握られた場合にＯＮ状態となる構成としてもよい。
【００２５】
緊急時用起動スイッチ１７ｃがＯＮ状態となる圧力値は、携帯電話１０を利用する人の性別、年齢等によって適宜変更可能である。しかしながら緊急時用起動スイッチ１７ｃは、あくまで緊急時に利用するものであることから、携帯電話１０の利用者が筐体Ｋの側面Ｋ１を普通に握った状態でＯＮ状態になるのではなく、側面Ｋ１を通常よりも強く握った状態でＯＮ状態となる圧力値とすることが望ましい。
なお、緊急時用起動スイッチ１７ｃは携帯電話１０の筐体Ｋの外面に備えるのであればよく、特にその配置位置は限定されるものではないが、所定値以上の圧力で握ることを考慮すれば、本実施形態のように筐体Ｋの側面Ｋ１に設けるのがよい。また緊急時用起動スイッチ１７ｃの配置数、配置面積等も本実施形態のものに限るものではなく、適宜変更可能である。
【００２６】
これら起動スイッチが押圧されることで、画像撮影部１６や通信部１３を起動するための信号が起動信号生成部１７で生成されて制御部１１に送信される。そして制御部１１は、受け取った信号の種類に応じて、画像撮影部１６や通信部１３を起動させて各動作を行わせる。
【００２７】
以下において、通常時用画像撮影部起動スイッチ１７ａと通常時用通信部起動スイッチ１７ｂとを用いて、画像を撮影、送信する場合の動作の流れを説明する。
【００２８】
まず通常時用画像撮影部起動スイッチ１７ａが押圧された場合には、画像撮影部１６を通常に起動させるための通常時用画像撮影部起動信号が起動信号生成部１７で作成されて、制御部１１に送信される。そして制御部１１が通常時用画像撮影部起動信号を受信することで、制御部１１は通常時用起動ソフトウェアを実行させる。
本実施形態においては、通常時用画像撮影部起動スイッチ１７ａを一回押圧することで、携帯電話１０の画像撮影部１６を起動させて、一般的な携帯電話と同様に、撮影スタンバイ状態となる。そして、もう一度通常時用画像撮影部起動スイッチ１７ａを押圧することで、シャッターが切られ、静止画像が一枚撮影されて撮影を終了させる。また撮影された画像は、一般的な携帯電話と同様に、記憶部１２に記憶される。
なお本実施形態においては、静止画を複数枚撮影する場合は、撮影スタンバイ状態となった後、シャッターとしての通常時用画像撮影部起動スイッチ１７ａを撮影したい枚数分押圧する必要がある。しかしながら、このような構成に限るものではない。例えば撮影スタンバイ状態となった後、通常時用画像撮影部起動スイッチ１７ａを一回押圧することで連続撮影を行い、その後撮影を終了させるような構成としてもよい。また撮影スタンバイ状態となった後、通常時用画像撮影部起動スイッチ１７ａを押し続けることで、連続撮影を行い、スイッチから手を離すことで撮影を終了させるような構成としてもよい。
一方、通常時用画像撮影部起動スイッチ１７ａを数秒以上（例えば５秒以上）押圧する場合には、動画像の撮影スタンバイ状態となる。そして、もう一度通常時用画像撮影部起動スイッチ１７ａを押圧することで、動画の撮影が開始される。更にもう一度、通常時用画像撮影部起動スイッチ１７ａを押圧することで、動画の撮影を終了させる。撮影された動画は、一般的な携帯電話と同様に記憶部１２で記憶される。
なお本実施形態においては、動画の撮影時と終了時とに、それぞれ通常時用画像撮影部起動スイッチ１７ａを押圧する構成としたが、必ずしもこのような構成に限るものではない。例えば動画の撮影時に通常時用画像撮影部起動スイッチ１７ａを押し続けることで動画撮影を継続させることができ、スイッチから手を離すことで動画撮影を終了させるような構成としてもよい。
【００２９】
また通常時用通信部起動スイッチ１７ｂが押圧された場合には、通信部１３を通常に起動させるための通常時用通信部起動信号が起動信号生成部１７で作成されて、制御部１１に送信される。そして、制御部１１が通常時用通信部起動信号を受信することで、制御部１１は通常時用起動ソフトウェアを実行させる。
本実施形態においては、通信部１３を起動させて、一般的な携帯電話と同様に、記憶部１２に記憶してある静止画像や動画像を選択可能な状態とする。そしてタッチパネル１５ａや操作ボタン（アイコン）を用いて、送信したい画像と送信先とを選択決定した後、もう一度通常時用通信部起動スイッチ１７ｂを押圧することで、指定した送信先へ指定した画像が送信される。
【００３０】
次に図３を参照しつつ、緊急時用起動スイッチ１７ｃを用いて画像を撮影、送信する場合の動作の流れを説明する。
【００３１】
まずステップＳ１において、緊急時用起動スイッチ１７ｃが一回押圧されると（ステップＳ１でＹｅｓ）、制御部１１は押圧された秒数の確認を行う（ステップＳ２）。具体的には、緊急時用起動スイッチ１７ｃが押圧された時間が５秒未満であるか否かの確認を行う。
そして緊急時用起動スイッチ１７ｃが押圧された時間が５秒未満である場合（ステップＳ２でＹｅｓ）は、ステップＳ３以下の静止画像を撮影する場合の処理を制御部１１が実行する。
一方、緊急時用起動スイッチ１７ｃが押圧された時間が５秒以上である場合（ステップＳ２でＮｏ）は、ステップＳ４以下の動画像を撮影する場合の処理を制御部１１が実行する。
なお、ステップＳ５以下の処理は、撮影する画像の種類を除いて、静止画像と動画像とで同様の動作となるため、以下においては、静止画像を撮影する場合の説明のみを行うものとする。
【００３２】
ステップＳ３において、緊急時用起動スイッチ１７ｃが押圧された時間が５秒未満であることを制御部１１が確認すると、制御部１１は、画像撮影部１６と通信部１３とを緊急起動させるための緊急時用画像撮影部起動信号と、緊急時用通信部起動信号とを起動信号生成部１７に作成させる。そして作成された緊急時用画像撮影部起動信号と、緊急時用通信部起動信号とが、制御部１１へ送信される（ステップＳ５）。
【００３３】
そして作成された緊急時用画像撮影部起動信号と、緊急時用通信部起動信号とを制御部１１が受信したか否かの確認が行われる（ステップＳ６）。なお、この処理において制御部１１が信号を受信したことの確認がとれない場合（ステップＳ６でＮｏ）は、再度ステップ５に戻り処理が行われる。
制御部１１が信号を受信したことの確認がとれた場合（ステップＳ６でＹｅｓ）は、制御部１１が画像撮影部１６を起動させる（ステップＳ７）。次に既述した撮影の流れに沿って画像撮影部１６により静止画像の撮影が行われる（ステップＳ８）。
【００３４】
その後、静止画像の撮影ができたか否かの確認が行われる（ステップＳ９）。具体的には、送信部１６ｆに静止画像が一時的に格納されたか否かの確認が行われる。なお、この処理において送信部１６ｆに静止画像が一時的に格納されたことの確認がとれない場合（ステップＳ９でＮｏ）は、再度ステップ８に戻り処理が行われる。
静止画像の撮影ができたことの確認がとれた場合（ステップＳ９でＹｅｓ）は、送信部１６ｆが静止画像を通信部１３へと送信する（ステップＳ１０）。
【００３５】
その後、通信部１３が静止画像を受信したか否かの確認が行われる（ステップＳ１１）。なお、この処理において通信部１３が静止画像を受信したことの確認が取れない場合（ステップＳ１１でＮｏ）は、再度ステップＳ１０に戻り処理が行われる。
通信部１３が静止画像を受信したことの確認がとれた場合（ステップＳ１１でＹｅｓ）は、通信部１３が受信した画像を特定の送信先へ送信する（ステップＳ１２）。
【００３６】
以上により、緊急時用起動スイッチ１７ｃを用いて静止画像を撮影、送信する場合の動作が終了する。
【００３７】
上記のように緊急時起動スイッチ１７ｃを用いた場合には、画像撮影部１６による画像の撮影と、通信部１３による特定の送信先への画像の送信との二つの動作が、一連の動作として途切れることなく迅速に行われる。
【００３８】
次に図４、図５を参照して、本発明の実施形態に係る画像登録システム１００を説明する。
本画像登録システム１００は、携帯電話１０において、緊急時用起動スイッチ１７ｃを用いて画像の撮影が行われた場合に、携帯電話１０から特定の送信先へと画像を送信すると共に、送信された画像を特定の送信先で保存するためのシステムである。
【００３９】
この画像登録システム１００は、携帯電話１０と、サーバ２０と、親族端末３０と、関係機関端末４０とで構成される。なお、サーバ２０と親族端末３０と関係機関端末４０とは、本実施形態において携帯電話１０の特定の送信先となるものである。
また、ここで「親族端末」とは、携帯電話１０の利用者１と親族関係にある者が利用する端末を意味する。本実施形態においては、親族端末３０として、緊急時起動スイッチの構成を除いて携帯電話１０と同様の構成を備えるスマートフォンを用いる構成としてある。
更に「関係機関端末」とは、携帯電話１０の利用者１が緊急時起動スイッチ１７ｃを用いて画像の撮影、送信を行った場合に、送信される画像を保存しておくことが望ましい関係にある端末を意味するものである。例えば携帯電話１０の利用者１が小学生であり、防犯上の理由で緊急時起動スイッチ１７ｃを利用することを想定する場合には、利用者１が所属している学校の端末や、警察等の捜査機関の端末を関係機関端末４０とすることができる。
本実施形態においては、図４に簡略化して示すように、利用者１を小学生とし、親族端末３０を利用者１の母親３が所有する端末、関係機関端末４０を利用者１が通う小学校に設置されている端末として、以下の説明を行うこととする。
【００４０】
前記サーバ２０は、画像登録システム１００の運営者が管理するサーバで、画像登録システムを管理、運営する機能を有するものである。また図４に示すように、電気通信回線５０を介して携帯電話１０と接続されており、既述した緊急時用起動スイッチ１７ｃを介して画像の撮影、送信が行われた場合に、特定の送信先の一つを構成するものである。
なお、ここで「運営者が管理する」とは、運営者が直接的に管理する場合と、運営者が間接的に管理する場合の両方を含む概念である。より具体的には、運営者が自ら所有するサーバ２０で本システムを管理、運用する場合と、第三者が所有するサーバ２０を用いて本システムを管理、運用する場合の両方を含む概念である。
【００４１】
このサーバ２０は、図５（ａ）に示すように、主として制御部２１と、記憶部２２と、通信部２３とで構成される。
【００４２】
前記制御部２１は、画像登録システム１００を運営、管理するプログラムやソフトウェアを保有すると共に、本システムを運営、管理するための所定の処理を実行する機能を有するものである。本実施形態においては、緊急時用起動ソフトウェアが実行されて画像を受け取った場合には、受け取った画像を記憶部２２に記憶すると共に、親族端末３０と関係機関端末４０とに送信するソフトウェア等を主として備える。
【００４３】
また本実施形態においては、制御部２１は、主に以下の処理を行う。
具体的には、携帯電話１０において、緊急時用起動スイッチ１７ｃを介して画像の撮影、送信が行われた場合に、受け取った画像を記憶部２２に記憶させる処理を行う。この際、サーバ２０は、受けとった画像と、携帯電話１０に固有の識別番号と、受け取った日時とを紐付けて記憶部２２に記憶させることが望ましい。
また受け取った画像を親族端末３０と関係機関端末４０へと送信する処理を行う。つまり本システムにおいては、緊急時用起動スイッチ１７ｃを介して携帯電話１０から画像が送信された場合、まずサーバ２０へ画像が送信されて、その後、親族端末３０と関係機関端末４０とに画像が送信される構成としてある。
【００４４】
また本実施形態においては、制御部２１は、既述した各処理に加えて、携帯電話１０、親族端末３０、関係機関端末４０が、サーバ２０の照合を得ることが必要なデータ（固体識別番号データやパスワード等）についての認証も行う。例えば携帯電話１０、親族端末３０、関係機関端末４０が記憶部２２に記憶されている画像の閲覧請求を行った場合等に認証処理を行う構成とすることができる。
【００４５】
勿論、本システムを運営、管理するために制御部２１が行う処理は、上記に限るものではなく、適宜変更、追加が可能である。
【００４６】
前記記憶部２２は、携帯電話１０、親族端末３０、関係機関端末４０に関わる情報等、予めサーバ２０に記憶させておくデータや、追加・修正のあったデータ等を記憶させておく機能を有するものである。
本実施形態においては、図５（ｂ）に示すように、記憶部２２は、利用者１や利用者１が利用する携帯電話１０に関する情報を記憶する利用者データベース２２ａと、親族端末３０や親族端末３０を利用する母親３に関する情報を記憶する親族端末情報データベース２２ｂと、関係機関端末４０や関係機関端末４０を利用する者に関する情報を記憶する関係機関端末情報データベース２２ｃとを備える。
【００４７】
前記通信部２３は、電気通信回線５０を介して携帯電話１０、親族端末３０、関係機関端末４０との間で各種データの送受信を行う機能を有するものである。
【００４８】
前記親族端末３０は、緊急時用起動スイッチの構成を除き、既述した携帯電話１０と同一部材、同一機能の構成を備える。例えば図４に示すように、ディスプレイ３４ａ、タッチパネル３５ａ、通常時用画像撮影部起動スイッチ３７ａ、通常時用通信部起動スイッチ３７ｂ等を備える。従って親族端末３０が備える構成の詳細説明は、省略するものとする。
【００４９】
前記関係機関端末４０は、既述したように、利用者１である小学生が通う学校の端末である。本実施形態においては、学校の端末として、いわゆるデスクトップ型のコンピュータを用いる構成としてある。
この関係機関端末４０は、図５（ｃ）に示すように、制御部４１と、記憶部４２と、通信部４３と、表示部４４と、操作部４５とで構成される。また図４に示すように、制御部４１としてハードディスク４１ａを備え、表示部４４としてディスプレイ４３ａを備え、操作部４５としてキーボード４５ａを備える。
【００５０】
なお、緊急時起動スイッチに関する機能と、タッチパネルに関する機能を除いて、制御部４１と、記憶部４２と、通信部４３と、表示部４４と、操作部４５の各機能は、既述した携帯電話１０の制御部１１と、記憶部１２と、通信部１３と、表示部１４と、操作部１５と同様のものであることから、詳細な説明は省略するものとする。
【００５１】
次に図４を参照して、画像登録システム１００の動作の流れを説明する。
【００５２】
まず、利用者１が携帯電話１０の緊急時起動スイッチ１７ｃを押圧して、画像の撮影と特定の送信先への画像の送信とを行う。
すると撮影された画像は、電気通信回線５０を介して、携帯電話１０の通信部１３からサーバ２０へ送信されて、サーバ２０の記憶部２２に記憶される。
またサーバ２０は、受け取った画像を、通信部２３から電気通信回線５０を介して親族端末３０と関係機関端末４０とに送信する。
そして親族端末３０と関係機関端末４０とは、サーバ２０から送信された画像を受け取り、各記憶部に記憶させる。
これによって、親族端末３０を利用する母親３と関係機関端末４０を利用する学校の教師等とが、利用者１が撮影した画像を自由に閲覧可能な状態とすることができる。また利用者１が携帯電話１０を破損した場合や紛失した場合でも、親族端末３０と関係機関端末４０とで撮影した画像を確実に保存することができる。
【００５３】
このような構成からなる本発明の実施形態に係る携帯電話１０と画像登録システム１０００とは、以下の効果を奏する。
【００５４】
通常時用起動スイッチ１７ａ、１７ｂと緊急時用起動スイッチ１７ｃとを備える構成とすることで、通常時には、画像の撮影と画像の送信とを通常の操作で行うことができることに加えて、緊急時には、画像の撮影と特定の送信先に対する撮影した画像の送信とを、一連の動作として途切れることなく瞬時に行うことが可能な携帯電話１０とすることができる。
【００５５】
またサーバ２０の構成として、画像を記憶するための記憶部２２を備えると共に、緊急時用起動スイッチ１７ｃによる緊急時用起動ソフトウェアが実行されて画像を受け取った場合には、受け取った画像を記憶部２２に記憶する構成とすることで、緊急時に携帯電話１０で撮影した画像を、携帯電話１０以外の他の保存先で確実に保存可能なシステムを構築することができる。
よって利用者１である小学生が不審者に遭遇した場合においては、緊急時用起動スイッチ１７ｃの一つのボタンを一度押圧するだけで、不審者の画像の撮影と、親族端末３０と関係機関端末４０への撮影した画像の送信とを、瞬時に完了することができる。従って母親３や学校の教師等が、不審者の情報を即座に共有可能なシステムを実現することができる。また不審者が利用者１の携帯電話１０を破損したり、破棄したりした場合においても、親族端末３０や関係機関端末４０に画像が確実に保存されるシステムとすることができる。よって証拠の隠滅を確実に防止できるシステムを実現できることで、犯罪抑止効果を飛躍的に高めることができる携帯電話１０及び画像登録システム１００とすることができる。つまり、防犯上極めて有益な携帯電話１０及び画像登録システム１００とすることができる。
【００５６】
また携帯電話１０の筐体Ｋの外面に緊急時用起動スイッチ１７ｃを設ける構成とすることで、緊急時用起動スイッチ１７ｃを容易且つ迅速にＯＮ状態にすることが可能な携帯電話１０とすることができる。
【００５７】
更に筐体Ｋの外面を所定値以上の圧力で握った場合にＯＮ状態となる圧力スイッチで緊急時用起動スイッチ１７ｃを構成することで、緊急時用起動スイッチ１７ｃを一段と容易且つ迅速にＯＮ状態にすることが可能な携帯電話１０とすることができる
【００５８】
次に図６を参照して、本発明の実施形態に係る携帯電話１０の変形例を説明する。
本変形例は、既述した本発明の実施形態に係る携帯電話１０に対して、緊急時用起動スイッチ１７ｃの構成を変形したものである。その他の構成は、既述した本発明の実施形態に係る携帯電話１０と同様であることから、同一部材、同一機能を果たすものには、同一番号、同一アルファベットを付し、以下詳細な説明は省略するものとする。
【００５９】
本変形例においては、筐体Ｋの一対の側面Ｋ１に、それぞれ一つ設けた押しボタンスイッチで緊急時用起動スイッチ１７ｄを形成する構成としてある。加えて、二つの押しボタンスイッチを同時に押圧した場合に、制御部１１が、画像撮影部１６と通信部１３とを緊急起動させるための緊急時用画像撮影部起動信号と、緊急時用通信部起動信号とを起動信号生成部１７に作成させる構成としてある。
このような構成とすることで、緊急時用起動スイッチ１７ｄを一段と容易且つ迅速にＯＮ状態にすることができることに加えて、緊急時用起動スイッチ１７ｄの誤作動を効果的に防止することができる。
【００６０】
なお、既述した本発明の実施形態においては、携帯電話１０としてスマートフォンを用いる構成としたが、必ずしもこのような構成に限るものではなく、スマートフォン以外の他の携帯電話を用いる構成としてもよい。つまり本発明における「携帯電話」とは、通話機能に加えて、静止画像や動画像等の画像を撮影できる機能と、撮影した画像を第三者の携帯電話等の電子機器に送信できる機能とを少なくとも備えるものであれば、如何なる携帯電話も含む概念である。
【００６１】
また既述した本発明の実施形態においては、静止画像と動画像との撮影種類を切り替えるための構成として、緊急時用起動スイッチ１７ｃ（緊急時用起動スイッチ１７ｄ）を５秒未満で一回押圧した場合には静止画像の撮影を行い、５秒以上で一回押圧した場合には動画像の撮影を行う構成としたが、このような構成に限るものではなく、静止画像と動画像との切り替えができる構成であれば、如何なる構成であってもよい。例えば静止画像と動画像との撮影の切り替えを、緊急時用起動スイッチ１７ｃ（緊急時用起動スイッチ１７ｄ）を押圧する回数で切り替える構成としてもよい。
また静止画像と動画像との撮影は、必ずしも切り分けて実行することが必要なものではない。例えば緊急時用起動スイッチ１７ｃ（緊急時用起動スイッチ１７ｄ）を押圧することで、まず静止画像の撮影を行い、その後、自動的に動画像の撮影に移行した後、撮影を終了させるような構成としてもよい。またその逆に、まず動画像の撮影を行い、その後に自動的に静止画像の撮影に移行した後、撮影を終了させるような構成としてもよい。
【００６２】
また緊急時用起動スイッチ１７ｃ、１７ｄの構成も、既述した歪みスイッチと、押しボタンスイッチに限るものではなく、他のスイッチを用いる構成としてもよい。
【００６３】
本実施形態においては、画像撮影手段と送信手段とを通常起動させる通常時用起動スイッチとして、通常時用画像撮影部起動スイッチ１７ａと通常時用通信部起動スイッチ１７ｂとの二つのスイッチを設ける構成とした。しかしながら、画像撮影手段と送信手段とを通常起動させる通常時用起動スイッチの構成や、数は本実施形態のものに限るものではなく、適宜変更可能である。例えば通常時用起動スイッチ１７ａ、１７ｂをタッチパネル上に表示されるアイコンとすることも可能である。
【００６４】
また緊急時用起動スイッチ１７ｃ（緊急時用起動スイッチ１７ｄ）を介して携帯電話１０から画像が送信される特定の送信先も、本実施形態のものに限るものではなく、適宜変更可能である。例えば警察等の捜査機関とすることができる。また日本国内の送信先に限らず、海外の送信先に画像を送信するような構成であってもよい。このような構成とすることで、一段と有益なシステムとすることができる。
【００６５】
つまり本発明の携帯電話及び携帯電話を利用した画像登録システムは、瞬時に画像を撮影することができると共に、撮影した画像を瞬時に特定の送信先へ送信し、確実に保存することができることから、不審者による犯罪、強盗、痴漢、暴力事件の現場等、各種犯罪現場での証拠保全に有効に利用することができる。また災害発生時における記録にも有効に利用することができる。更に野生動物植物の貴重な一瞬の映像の撮影にも有効に利用することができる。従って瞬時に画像の撮影が必要で、撮影した画像を確実に保存しておく必要がある、あらゆる場面で有効に利用できる携帯電話及び携帯電話を利用した画像登録システムとすることができる。
【産業上の利用可能性】
【００６６】
本発明によれば、画像撮影機能を備えた携帯電話の分野で有益な効果を奏することができることから、携帯電話の分野における産業上の利用性が高い。
【符号の説明】
【００６７】
１            利用者
３            母親
１０          携帯電話
１１          制御部
１２          記憶部
１３          通信部
１４          表示部
１４ａ        ディスプレイ
１５          操作部
１５ａ        タッチパネル
１６          画像撮影部
１６ａ        レンズ
１６ｂ        ＣＣＤ
１６ｃ        Ａ／Ｄ変換部
１６ｄ        画像処理部
１６ｅ        圧縮部
１６ｆ        送信部
１７          起動信号生成部
１７ａ        通常時用画像撮影部起動スイッチ
１７ｂ        通常時用通信部起動スイッチ
１７ｃ        緊急時用起動スイッチ
１７ｄ        緊急時用起動スイッチ
２０          サーバ
２１          制御部
２２          記憶部
２２ａ        利用者データベース
２２ｂ        親族端末データベース
２２ｃ        関係機関端末データベース
２３          通信部
３０          親族端末
３４ａ        ディスプレイ
３５ａ        タッチパネル
３５ｂ        操作ボタン
３７ａ        通常時用画像撮影部起動スイッチ
３７ｂ        通常時用通信部起動スイッチ
４０          関係機関端末
４１          制御部
４１ａ        ハードディスク
４２          記憶部
４３          通信部
４４          表示部
４４ａ        ディスプレイ
４５          操作部
４５ａ        キーボード
５０          電気通信回線
Ｋ            筐体
Ｋ１          側面
【図１】
2017167584.tif 000003
【図２】
2017167584.tif 000004
【図３】
2017167584.tif 000005
【図４】
2017167584.tif 000006
【図５】
2017167584.tif 000007
【図６】
2017167584.tif 000008
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
静止画像や動画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記緊急時用起動スイッチは、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ一対の前記歪みスイッチのどちらもが所定値以上の圧力で握られた場合に限って、前記緊急時用起動スイッチがＯＮ状態となるように構成してあり、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を一度受信すると前記画像撮影手段を起動させて画像を撮影すると共に撮影した画像を前記送信手段へ送信する動作と、前記送信手段を起動させて送信されてきた画像を登録してある特定の送信先へ送信する動作と、を一連の動作として途切れることなく行う緊急時用起動ソフトウェアとを備えることを特徴とする携帯電話。
【請求項２】
請求項１に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することを特徴とする画像登録システム。
【手続補正２】
【補正対象書類名】明細書
【補正対象項目名】０００２
【補正方法】変更
【補正の内容】
【０００２】
従来、静止画像や動画像を撮影するための画像撮影手段（いわゆるカメラ機能）を備えた携帯電話が種々開発されている。このような画像撮影手段を備える携帯電話を示す従来技術として、下記特許文献１がある。
【手続補正３】
【補正対象書類名】明細書
【補正対象項目名】０００６
【補正方法】変更
【補正の内容】
【０００６】
上記課題を達成するため、本発明の携帯電話は、静止画像や動画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記緊急時用起動スイッチは、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ一対の前記歪みスイッチのどちらもが所定値以上の圧力で握られた場合に限って、前記緊急時用起動スイッチがＯＮ状態となるように構成してあり、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を一度受信すると前記画像撮影手段を起動させて画像を撮影すると共に撮影した画像を前記送信手段へ送信する動作と、前記送信手段を起動させて送信されてきた画像を登録してある特定の送信先へ送信する動作と、を一連の動作として途切れることなく行う緊急時用起動ソフトウェアとを備えることを第１の特徴としている。
また本発明の画像登録システムは、請求項１に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することを第２の特徴としている。
【手続補正４】
【補正対象書類名】明細書
【補正対象項目名】０００７
【補正方法】変更
【補正の内容】
【０００７】
上記第１の特徴による携帯電話によれば、静止画像や動画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記緊急時用起動スイッチは、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ一対の前記歪みスイッチのどちらもが所定値以上の圧力で握られた場合に限って、前記緊急時用起動スイッチがＯＮ状態となるように構成してあり、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を一度受信すると前記画像撮影手段を起動させて画像を撮影すると共に撮影した画像を前記送信手段へ送信する動作と、前記送信手段を起動させて送信されてきた画像を登録してある特定の送信先へ送信する動作と、を一連の動作として途切れることなく行う緊急時用起動ソフトウェアとを備えることから、通常時用起動スイッチと緊急時用起動スイッチとを備える構成とすることで、通常時には画像の撮影と画像の送信とを通常の操作で行うことができる。
【手続補正５】
【補正対象書類名】明細書
【補正対象項目名】０００８
【補正方法】変更
【補正の内容】
【０００８】
加えて、緊急時には画像の撮影と特定の送信先に対する撮影した画像の送信とを一連の動作で迅速に行うことが可能な携帯電話を実現することができる。
【手続補正６】
【補正対象書類名】明細書
【補正対象項目名】０００９
【補正方法】変更
【補正の内容】
【０００９】
また緊急時用起動スイッチを、前記携帯電話の筐体の側面の所定領域を所定値以上の圧力で握った場合にＯＮ状態となる歪みスイッチで構成してあると共に、該歪みスイッチを前記筐体の一対の側面にそれぞれ一つ設けてあり、且つ一対の前記歪みスイッチのどちらもが所定値以上の圧力で握られた場合に限って、前記緊急時用起動スイッチがＯＮ状態となるように構成してあることで、緊急時用起動スイッチを容易且つ迅速にＯＮ状態にすることが可能な携帯電話とすることができる。
【手続補正７】
【補正対象書類名】明細書
【補正対象項目名】００１０
【補正方法】変更
【補正の内容】
【００１０】
また上記第２の特徴による画像登録システムによれば、請求項１に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することから、緊急時において、携帯電話で撮影した画像を、携帯電話以外の他の保存先で容易且つ確実に保存可能なシステムを実現することができる。
【手続補正８】
【補正対象書類名】明細書
【補正対象項目名】００１１
【補正方法】変更
【補正の内容】
【００１１】
よって、例えば携帯電話の記憶部を破損した場合や、携帯電話を紛失した場合においても、撮影した画像を再確認することができるシステムを実現することができる。
【手続補正９】
【補正対象書類名】明細書
【補正対象項目名】００２１
【補正方法】変更
【補正の内容】
【００２１】
前記画像撮影部１６は、静止画像や動画像を撮影するためのもので、本発明の画像撮影手段を構成するものである。
この画像撮影部１６は、図２に示すように、光を入力させるレンズ１６ａと、光を電気信号に変換するＣＣＤ（受光素子）１６ｂと、アナログ信号をデジタル信号に変換するＡ／Ｄ変換部１６ｃと、デジタル信号から画像データを作成する画像処理部１６ｄと、符号化により画像データを圧縮する画像圧縮部１６ｅと、圧縮された画像データを一次的に格納する送信部１６ｆとで構成される。
なお、このような構成からなる画像撮影部１６による動作は、後述する通常時用画像撮影部起動スイッチ１７ａや緊急時用起動スイッチ１７ｃによって開始される。
【手続補正１０】
【補正対象書類名】明細書
【補正対象項目名】００６０
【補正方法】変更
【補正の内容】
【００６０】
なお、既述した本発明の実施形態においては、携帯電話１０としてスマートフォンを用いる構成としたが、必ずしもこのような構成に限るものではなく、スマートフォン以外の他の携帯電話を用いる構成としてもよい。つまり本発明における「携帯電話」とは、通話機能に加えて、静止画像や動画像を撮影できる機能と、撮影した画像を第三者の携帯電話等の電子機器に送信できる機能とを少なくとも備えるものであれば、如何なる携帯電話も含む概念である。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
静止画像や動画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記緊急時用起動スイッチは、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ前記歪みスイッチを備える前記筐体の一対の側面を、凹凸のない平坦面で構成してあると共に、一対の前記歪みスイッチのどちらもが所定値以上の圧力で握られた場合に限って、前記緊急時用起動スイッチがＯＮ状態となるように構成してあり、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を一度受信すると前記画像撮影手段を起動させて画像を撮影すると共に撮影した画像を前記送信手段へ送信する動作と、前記送信手段を起動させて送信されてきた画像を登録してある特定の送信先へ送信する動作と、を一連の動作として途切れることなく行う緊急時用起動ソフトウェアとを備えることを特徴とする携帯電話。
【請求項２】
請求項１に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することを特徴とする画像登録システム。
【手続補正２】
【補正対象書類名】明細書
【補正対象項目名】０００６
【補正方法】変更
【補正の内容】
【０００６】
上記課題を達成するため、本発明の携帯電話は、静止画像や動画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記緊急時用起動スイッチは、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ前記歪みスイッチを備える前記筐体の一対の側面を、凹凸のない平坦面で構成してあると共に、一対の前記歪みスイッチのどちらもが所定値以上の圧力で握られた場合に限って、前記緊急時用起動スイッチがＯＮ状態となるように構成してあり、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を一度受信すると前記画像撮影手段を起動させて画像を撮影すると共に撮影した画像を前記送信手段へ送信する動作と、前記送信手段を起動させて送信されてきた画像を登録してある特定の送信先へ送信する動作と、を一連の動作として途切れることなく行う緊急時用起動ソフトウェアとを備えることを第１の特徴としている。
また本発明の画像登録システムは、請求項１に記載の携帯電話と、該携帯電話と電気通信回線を介して接続されて特定の送信先を構成するサーバとを備えてなる画像登録システムであって、前記サーバは、画像を記憶するための記憶部を備えると共に、緊急時用起動ソフトウェアが実行されて画像を受け取った場合には、受け取った画像を前記記憶部に記憶することを第２の特徴としている。
【手続補正３】
【補正対象書類名】明細書
【補正対象項目名】０００７
【補正方法】変更
【補正の内容】
【０００７】
上記第１の特徴による携帯電話によれば、静止画像や動画像を撮影する画像撮影手段と、前記画像や画像以外のテキストを送信する送信手段と、前記画像撮影手段と前記送信手段とを制御する制御手段と、該制御手段に対して前記画像撮影手段や前記送信手段を起動させるための起動信号を生成する起動信号生成手段を少なくとも備える携帯電話であって、前記起動信号生成手段は、前記画像撮影手段と前記送信手段とを通常起動させる１乃至複数の通常時用起動スイッチと、それ以外に前記画像撮影手段と前記送信手段とを緊急起動させる緊急時用起動スイッチとを少なくとも備え、前記緊急時用起動スイッチは、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ前記歪みスイッチを備える前記筐体の一対の側面を、凹凸のない平坦面で構成してあると共に、一対の前記歪みスイッチのどちらもが所定値以上の圧力で握られた場合に限って、前記緊急時用起動スイッチがＯＮ状態となるように構成してあり、前記制御手段は、前記通常時用起動スイッチによる起動信号を受信すると前記画像撮影手段と前記送信手段とを通常通り起動させる通常時用起動ソフトウェアと、前記緊急時用起動スイッチによる起動信号を一度受信すると前記画像撮影手段を起動させて画像を撮影すると共に撮影した画像を前記送信手段へ送信する動作と、前記送信手段を起動させて送信されてきた画像を登録してある特定の送信先へ送信する動作と、を一連の動作として途切れることなく行う緊急時用起動ソフトウェアとを備えることから、通常時用起動スイッチと緊急時用起動スイッチとを備える構成とすることで、通常時には画像の撮影と画像の送信とを通常の操作で行うことができる。
【手続補正４】
【補正対象書類名】明細書
【補正対象項目名】０００９
【補正方法】変更
【補正の内容】
【０００９】
また、緊急時用起動スイッチを、前記携帯電話の筐体の側面の所定領域を所定値以上の圧力で握った場合にＯＮ状態となる歪みスイッチで構成されると共に、該歪みスイッチを前記筐体の一対の側面にそれぞれ一つ設けてあり、且つ前記歪みスイッチを備える前記筐体の外面の対向する一対の側面が、凹凸のない平坦面で構成されると共に、一対の前記歪みスイッチのどちらもが所定値以上の圧力で握られた場合に限って、前記緊急時用起動スイッチがＯＮ状態となるように構成してあることで、緊急時用起動スイッチを容易且つ迅速にＯＮ状態にすることが可能な携帯電話とすることができる。